(57)【要約】【課題】選択されたピックアップの確認を容易に行えるようにするとともに、表示手段の設置箇所の自由度を高める。【解決手段】演奏音量を調整するボリューム９に、選択されたピックアップを表示する表示手段４０を設ける。表示手段４０は、導光体３４と、プリント基板４２に実装された発光色が異なる２種類のＬＥＤ、例えば緑色ＬＥＤ４３と青色ＬＥＤ４４とで構成されている。緑色ＬＥＤ４３は、ネック側のフロントピックアップが選択されているときに点灯することにより、導光体３４の表示部３４Ｂを緑色に表示する。一方、ブリッジ側のリアピックアップが選択されているときは、青色ＬＥＤ４４が点灯して表示部３４Ｂを青色に表示する。また、両方のピックアップが選択されているときは、両方のＬＥＤ４３，４４が点灯することにより、表示部３４Ｂを緑と青の２色またはこれらの色の混合色（シアン）に表示する。【選択図】  図３
2006201374.tif 000002
【特許請求の範囲】
【請求項１】
それぞれ弦の振動を検出し電気信号に変換する複数個のピックアップ装置と、
前記各ピックアップ装置の選択状態を表示する表示手段とを備え、
前記表示手段を発光色が各ピックアップ装置毎に異なった複数個の光源で構成したことを特徴とする電気弦楽器。
【請求項２】
前記光源がＬＥＤで、
前記表示手段が、操作手段の周縁に設けられ前記ＬＥＤからの光が導かれる表示部を有する導光体をさらに備えていることを特徴とする請求項１記載の電気弦楽器。
【請求項３】
前記光源がＬＥＤで、
前記表示手段が各ピックアップ装置を異なった発光色で表示することを特徴とする請求項１記載の電気弦楽器。
【請求項４】
それぞれ弦の振動を検出し電気信号に変換する複数個のピックアップ装置と、
前記各ピックアップ装置の選択状態を表示する表示手段とを備え、
前記表示手段を各ピックアップ装置毎に異なった表示色で表示するカラー液晶パネルで構成したことを特徴とする電気弦楽器。
【請求項５】
前記カラー液晶パネルが操作手段の周縁に設けられていることを特徴とする請求項４記載の電気弦楽器。
【請求項６】
前記カラー液晶パネルが各ピックアップ装置にそれぞれ設けられ異なった表示色で表示することを特徴とする請求項４記載の電気弦楽器。
【請求項７】
前記操作手段が、ピックアップ用選択手段、ボリューム用調整手段、トーン用調整手段のうち少なくともいずれか１つであることを特徴とする請求項２，５のうちのいずれか１つに記載の電気弦楽器。
【発明の詳細な説明】
【技術分野】
【０００１】
本発明は、弦の振動を検出し電気信号に変換して演奏するエレキギター、エレキベースギター等の電気弦楽器に関するものである。
【背景技術】
【０００２】
従来から、エレキギター等の電気ギターにおいては、弦の下方にトーンが異なる複数種のピックアップ装置（以下、ピックアップという）を弦の張設方向に並設し、これらのピックアップによって弦の振動を検出して電気信号に変換し増幅した後、スピーカから発音させるようにしている。ピックアップの種類としては３種類有り、通常前側（ネック側）に配置されるものをフロントピックアップ、後側（ブリッジ側）に配置されるものをリアピックアップ、これら両ピックアップ間に配置されるものをセンターピックアップと呼んでいる。フロントピックアップを選択使用したときは柔らかい音となり、リアピックアップを選択使用したときは硬い音となり、両ピックアップを選択使用したときは中間の音となる。そして、これらのピックアップのいずれを選択するかをピックアップ用選択手段（以下、セレクターという）によって選択し、演奏曲によってはフロントピックアップとセンターピックアップの２つまたはセンターピックアップとリアピックアップの２つを使用してミックス音（ハーフトーン）を得るようにしている。
【０００３】
セレクターによって選択されたピックアップがどれであるかを表示可能にした従来技術としては、特許文献１に記載されたものが知られている。
【０００４】
前記特許文献１に記載された従来技術は、ギター本体にピックアップ表示器を設け、フロント、ミドル、リアのうちいずれのピックアップが使用中かを表示するようにしたものである。ピックアップ表示器としては、ＬＥＤや液晶パネルを用いている。
【０００５】
【特許文献１】特開２００１−１３９６７号公報
【発明の開示】
【発明が解決しようとする課題】
【０００６】
しかしながら、前記特許文献１に記載されている従来技術は、ピックアップ表示器にピックアップの確認性、ないし識別性を高めるための格別な工夫を施していないので、表示状態が単調（同一色表示）で変化に乏しく、確認性さらには楽器の意匠性に欠け、また照明が暗い野外やステージでの演奏時においてどのピックアップが選択されているかを識別することができなくなるという不具合があり改善の余地があった。
【０００７】
本発明は上記した従来の課題を解決するためになされたものであり、その目的とするところは、選択されたピックアップの確認性ないし識別性を向上させるとともに、表示手段の設置箇所の自由度を高めることができる電気弦楽器を提供することにある。
【課題を解決するための手段】
【０００８】
上記目的を達成するために本発明は、それぞれ弦の振動を検出し電気信号に変換する複数個のピックアップ装置と、前記各ピックアップ装置の選択状態を表示する表示手段とを備え、前記表示手段を発光色が各ピックアップ装置毎に異なった複数個の光源で構成したものである。
【０００９】
また、本発明は、前記光源がＬＥＤで、前記表示手段が、操作手段の周縁に設けられ前記ＬＥＤからの光が導かれる表示部を有する導光体をさらに備えているものである。
【００１０】
また、本発明は、前記光源がＬＥＤで、前記表示手段が各ピックアップ装置を異なった発光色で表示するものである。
【００１１】
また、本発明は、それぞれ弦の振動を検出し電気信号に変換する複数個のピックアップ装置と、前記各ピックアップ装置の選択状態を表示する表示手段とを備え、前記表示手段を各ピックアップ装置毎に異なった表示色で表示するカラー液晶パネルで構成したものである。
【００１２】
また、本発明は、前記カラー液晶パネルが操作手段の周縁に設けられているものである。
【００１３】
また、本発明は、前記カラー液晶パネルが前記各ピックアップ装置にそれぞれ設けられ異なった表示色で表示するものである。
【００１４】
さらに、本発明は、前記操作手段が、ピックアップ用選択手段、ボリューム用調整手段、トーン用調整手段のうち少なくともいずれか１つとしたものである。
【発明の効果】
【００１５】
本発明においては、表示手段の光源が各ピックアップ装置の選択状態を異なった表示色（発光色）で表示するので、同一色で表示する場合に比べて選択されているピックアップ装置の識別性ないし確認性、さらには楽器自体の意匠性を向上させることができる。例えば、フロントピックアップを選択したときは、緑色の表示色で表示し、リアピックアップを選択したときは、青色の表示色で表示し、両ピックアップを選択したときは緑色と青色の２色またはこれらの色の混合色（シアン）で表示する。
また、表示色が異なるため、表示手段をピックアップ装置から離れた適宜な箇所に設置することが可能であり、表示手段の設置位置の自由度を向上させることができる。
また、表示手段は、ピックアップ装置に組み込まれるものを含み、各ピックアップ装置を異なった表示色で直接表示することができる。
ＬＥＤからの光が導かれる導光体の表示部は操作手段の周縁に設けられ、ＬＥＤの表示領域より広い領域を表示可能にする。
表示手段による表示対象である操作手段としては、ピックアップ用選択手段、ボリューム用調整手段、トーン用調整手段のうちのいずれか１つまたは任意の２つ以上であってもよい。
【発明を実施するための最良の形態】
【００１６】
以下、本発明を図面に示す実施の形態に基づいて詳細に説明する。
図１は本発明をエレキギターに適用した一実施の形態を示す正面図、図２はセレクターとボリュームの平面図、図３は図２のIII −III 線断面図、図４はＬＥＤが搭載されたプリント基板の平面図、図５はセレクターとＬＥＤの電気回路図、図６（ａ）〜（ｃ）はセレクターの切り替えによるＬＥＤの点灯状態をそれぞれ示す図である。
【００１７】
図１において、全体を符号１で示すエレキギターは、ソリッド型（またはセミアコースティック型）のボディ本体２とネック本体３とを備え、これらの二部材によって楽器本体を構成している。ボディ本体２の表面側には、６本の弦４の一端を支持するブリッジ５と、各弦４の振動を検出し電気信号に変換する２種類のピックアップ装置（以下、ピックアップという）６，７と、２つの操作手段８，９等が配設され、内部には電源（乾電池）１０が組み込まれており、また胴尻側の周面には各ピックアップ６，７からの電気信号を外部に取り出すジャック１１が取付けられている。
【００１８】
前記ピックアップ６，７は、ネック本体３の基端部側に配設されているものがフロントピックアップ、ブリッジ５付近に配設されているものがリアピックアップを構成している。本実施の形態においては、フロントピックアップ６とリアピックアップ７として、ノイズの消去性能が高いハムバッキング方式の電磁型ピックアップを用いた例を示したが、これに限らずシングルコイル方式の電磁型ピックアップを用いてもよい。
【００１９】
前記ネック本体３は、厚肉に形成されて前記ボディ本体２の前端に接合された基端部３Ａと、この基端部３Ａより前方に向かって一体に延設された棹部３Ｂと、この棹部３Ｂの先端に一体に設けられたヘッド部３Ｃとで構成されている。ネック本体３の基端部３Ａと棹部３Ｂの表面には指板１５が接合され、ヘッド部３Ｃには各弦４のブリッジ５側とは反対側端部を係止する６つの糸巻１６が取付けられている。前記指板１５の表面には、各弦４のネック側端部付近を支持する上駒１７と、音程を決定する複数本のフレット１８が埋設されている。
【００２０】
図２〜図４において、前記操作手段８，９のうち一方の操作手段８は、前記２つのピックアップ６，７を選択するピックアップ用選択手段（以下、セレクターという）を構成し、他方の操作手段９はエレキギター１の音量を調整するボリューム用調整手段（以下、ボリュームという）を構成している。また、これらのセレクター８とボリューム９は、ボディ本体２の表面で演奏者が演奏時にピックを把持している側の手（右手）の指で操作し易い部位、具体的には第１弦４ａの右側でリアピックアップ７とブリッジ５の近傍部に互いに近接して設けられている。
【００２１】
前記セレクター８は、回転軸２１を有するスイッチ本体２０と、回転軸２１の先端に取付けられたつまみ２２とを有する回転型の切替スイッチからなり、前記ボディ本体２の表面に設けた取付孔２３に取付部材２４を介して取付けられている。回転軸２１は、取付部材２４に設けた挿通孔を貫通し、つまみ２２をボディ本体２の表面側に突出させている。つまみ２２の表面には、指針２５が表示されている。このようなセレクター８は、つまみ２２を指で左右に回動すると、前記ピックアップ６，７を選択しその選択状態を電気的に切り替えるように構成されている。この場合、セレクター８は、フロントピックアップ６の選択モードと、リアピックアップ７の選択モードと、両ピックアップ６，７の選択モードの３種類の切り替えを可能にしている。なお、セレクター８の電気回路については図５で後述する。
【００２２】
前記ボリューム９は、回転軸３１を有する抵抗器本体３０と、回転軸３１の先端に取付けられたつまみ３２とを有する回転型の可変抵抗器からなり、前記ボディ本体２の表面に設けた取付孔３３に同じく取付部材３４を介して取付けられている。回転軸３１は、取付部材３４に設けた挿通孔を貫通し、つまみ３２をボディ本体２の表面側に突出させている。つまみ３２は、表面に指針３５が表示されており、指で左右に回動すると、抵抗器本体３０の抵抗値が変化してエレキギター１の音量が調整される。以上の構成は従来の一般的なエレキギターと同様である。
【００２３】
さらに、前記ボリューム９には、前記ピックアップ６，７の選択（使用）状態を切替表示する表示態様１として表示手段４０が設けられている。この表示手段４０は、プリント基板４２と、このプリント基板４２に実装された発光色が異なる２種類のＬＥＤ（光源）４３，４４と、前記取付部材３４とで構成されている。
【００２４】
前記プリント基板４２は、取付部材３４の下面にスペーサ４５を介して取付けられており、中央には前記ボリューム９の回転軸３１が貫通する貫通孔４６が形成されている。
【００２５】
前記ＬＥＤ４３，４４は、好ましくは前記貫通孔４６を中心とする同心円上で、かつ周方向に略１８０°離間して配設されている。また、ＬＥＤ４３，４４の発光色は、例えば緑色と青色である（以下、緑色ＬＥＤ、青色ＬＥＤともいう）。この場合、ＬＥＤ４３，４４をそれぞれ１個用いた例を示しているが、点灯時に照明むらが生じる場合は、ＬＥＤ４３，４４をそれぞれ複数個用い、貫通孔４６の周囲に同心円状に配列すればよい。
【００２６】
前記取付部材３４は、アクリル樹脂等の透光性を有する樹脂によって鍔付きカップ状に形成されることにより、前記ボディ本体２の取付孔３３に嵌合される有底円筒状の本体３４Ａと、この本体３４Ａの開口端部側の外周面に一体に突設され前記ボディ本体２の表面で取付孔３３の周縁部を覆う円板状の表示部３４Ｂとで構成されている。前記本体３４Ａは、底面に前記回転軸３１が貫通する貫通孔を有し、内部に前記つまみ３２が配置されている。本体３４Ａの開口端縁の内周面側には、略４５°傾斜した反射面４７が全周にわたって形成されている。この反射面４７は、本体３４Ａ内に入射したＬＥＤ４３，４４からの光を表示部３４Ｂ方向に反射する。すなわち、取付部材３４は、つまみ３２の周囲をＬＥＤ４３，４４の発光色で表示するために各ＬＥＤ４３，４４の光をボディ本体２の表面側に導く導光体としても用いられるものであり、以下の説明では導光体３４と称する。なお、表示部３４Ｂの裏面側には、ＬＥＤ３４，４４からの光を表面側に乱反射させるために梨地加工等を施しておくことが好ましい。また、導光体３４はＬＥＤ４３，４４の発光した光を透過可能な程度に透明で、かつ弾性を有するゴム等の材料で構成してもよい。ゴムの場合は、プラスチックやガラスに比べて破損防止効果が大である。
【００２７】
図５において、前記セレクター８は、同一構造からなる第１〜第４のスイッチ部８Ａ〜８Ｄを備えており、前記ピックアップ６，７の選択の切り替えと、ＬＥＤ４３，４４のＯＮ、ＯＦＦの切り替えとを連動して行うものである。第１〜第４のスイッチ部８Ａ〜８Ｄは、それぞれ１つの可動接点８Ａ−０，〜８Ｄ−０で選択される３つの固定接点８Ａ−１，〜８Ａ−３、・・・８Ｄ−１，〜８Ｄ−３を有し、これらスイッチ部８Ａ〜８Ｄの各可動接点８Ａ−０，〜８Ｄ−０は手動により連動して操作される。また、第１、第２のスイッチ部８Ａ，８Ｂの可動接点８Ａ−０，８Ｂ−０は、ネック側のフロントピックアップ６とブリッジ側のリアピックアップ７にそれぞれ接続され、第３、第４のスイッチ部８Ｃ，８Ｄの可動接点８Ｃ−０，８Ｄ−０は、ＬＥＤ４３、ＬＥＤ４４に抵抗Ｒを介してそれぞれ接続されている。第１のスイッチ部８Ａの第２、第３の固定接点８Ａ−２，８Ａ−３と、第２のスイッチ部８Ｂの第１、第２の固定接点８Ｂ−１，８Ｂ−２は、ジャック１１の一方の接点に接続されている。そして、第３のスイッチ部８Ｃの第２、第３の固定接点８Ｃ−２，８Ｃ−３と、第４のスイッチ部８Ｄの第１、第２の固定接点８Ｄ−１，８Ｄ−２は、電源１０に接続されている。なお、第１、第３のスイッチ部８Ａ，８Ｃの第１の固定接点８Ａ−１，８Ｃ−１と、第２、第４のスイッチ部８Ｂ，８Ｄの第３の固定接点８Ｂ−３，８Ｄ−３は、いずれにも接続されておらずそれぞれ開放している。
【００２８】
このような構造からなるエレキギター１において、図５および図６（ａ）はセレクター８の切り替えによりリアピックアップ７を選択した状態を示す。この選択状態において、第１のスイッチ部８Ａの可動接点８Ａ−０は第１の固定接点８Ａ−１に接触し、第２のスイッチ部８Ｂの可動接点８Ｂ−０は第１の固定接点８Ｂ−１に接触し、第３のスイッチ部８Ｃの可動接点８Ｃ−０は第１の固定接点８Ｃ−１に接触し、第４のスイッチ部８Ｄの可動接点８Ｄ−０は第１の固定接点８Ｄ−１に接触している。
【００２９】
したがって、任意の弦４をピックで弾くと、その弦４の振動はリアピックアップ７によって検出され電気信号に変換された後、アンプによって増幅されスピーカより電子音として発音される。
【００３０】
リアピックアップ７を選択すると、表示手段４０のＬＥＤ４４が点灯する。ＬＥＤ４４から出た光は導光体３４内に入射すると、その一部が反射面４７に当たって反射することにより表示部３４Ｂに導かれる。このため、表示部３４ＢはＬＥＤ４４の発光色である青色に表示され、これによってリアピックアップ７が選択されていることを表示する。
【００３１】
次に、リアピックアップ７の選択状態からフロントピックアップ６とリアピックアップ７をともに選択使用する状態に切り替えるときは、セレクター８のつまみ２２を指で操作して図６（ａ）の状態から時計方向回りに所定角度（４５°）回動させて図６（ｂ）の状態に切り替える。つまみ２２を所定角度回動させると、第１〜第４のスイッチ部８Ａ，〜８Ｄの可動接点８Ａ−０，〜８Ｄ−０は第２の固定接点８Ａ−２，〜８Ｄ−２にそれぞれ接触する。これにより、フロントピックアップ６とリアピックアップ７はともに選択され、弦４の振動を検出して電気信号に変換する。
【００３２】
フロントピックアップ６とリアピックアップ７とを選択するとＬＥＤ４３，４４はともに点灯し、その光が導光体３４内に入射し、その一部が反射面４７に当たって反射することにより表示部３４Ｂに導かれる。このため、表示部３４ＢはＬＥＤ４３，４４の発光色である緑色と青色で表示され、これによってフロントピックアップ６とリアピックアップ７がともに選択されていることを表示する。この場合、表示部３４Ｂの表示色としては緑色と青色の２色としたが、ＬＥＤ４３，４４の数、配置、表示部３４Ｂの大きさ等によっては緑色と青色の混合色であるシアン色で表示することも可能である。
【００３３】
次に、フロントピックアップ６とリアピックアップ７とをともに選択している状態からフロントピックアップ６を選択使用する状態に切り替えるときは、セレクター８のつまみ２２を図６（ｂ）の状態からさらに時計方向回りに所定角度（４５°）回動させて図６（ｃ）に示す状態に切り替える。つまみ２２を所定角度回動させると、第１〜第４のスイッチ部８Ａ，〜８Ｄの可動接点８Ａ−０，〜８Ｄ−０は第３の固定接点８Ａ−３，〜８Ｄ−３にそれぞれ接触する。これにより、フロントピックアップ６が選択され、弦４の振動を検出して電気信号に変換する。
【００３４】
フロントピックアップ６の選択モードにおいては、ＬＥＤ４３が点灯し、その光が導光体３４内に入射し、一部が反射面４７に当たって反射することにより表示部３４Ｂに導かれる。このため、表示部３４ＢはＬＥＤ４３の発光色である緑色に表示され、これによってフロントピックアップ６が選択されていることを表示する。
【００３５】
このように本発明においては、発光色が異なる２種類のＬＥＤ４３，４４を用い、ピックアップ６，７の選択モードに応じてＬＥＤ４３，４４の一方を点灯させたり両方を点灯させることにより導光体３４の表示部３４Ｂの表示色を異ならせるようにしたので、その表示色によってどのピックアップが選択されているかを確実に確認することができる。
【００３６】
また、各ピックアップ６，７にＬＥＤ色と対応付けられた色表示（識別）部を予め設けておくと、表示手段の発光するＬＥＤの色によってどのピックアップが選択されているか視認でき、視認効果を高めることができる。例えば、フロントピックアップ６の近傍に緑色の識別部を設け、リアピックアップ７の近傍に青色の識別部を設け、フロントピックアップ６とリアピックアップ７の中間付近にシアン色の識別部を設けておき、導光体から発光される色がどのピックアップに対応しているかを分かり易くする。また、識別部は常時点灯するＬＥＤでもよいし、識別色を有する部材、色見本シールなどを取付けてもよい。
【００３７】
また、本発明によれば表示色が何色であるかを確認するだけでよいので、表示手段４０をピックアップ６，７の近傍に必ずしも配置する必要がなく、表示手段４０の配設位置の自由度を高めることができる。
【００３８】
ここで、本実施の形態においては、ピックアップ６，７の選択状態を切り替え表示する表示態様１としてボリューム９に発光色が異なる２種類のＬＥＤ４３，４４と導光体３４を設け、ＬＥＤ４３，４４の光を導光体３４の表示部３４Ｂに導くことによりつまみ３２の周囲を異なった表示色で表示するようにした例を示したが、これに限らず種々の表示態様を採用することが可能である。以下、その表示態様例を列記する。
【００３９】
［表示態様２］
セレクター８の両側にボリューム９とトーン用調整手段（以下、トーンと略称する）を設ける。ボリューム９はネック側、トーンはブリッジ側、セレクター８はボリューム９とトーンの間とする。ボリューム９の代わりにセレクター８またはトーンにピックアップ６，７の選択状態を表示する表示手段４０を設け、そのつまみの周囲をピックアップ６，７の選択状態に応じて異なった表示色で表示する。なお、トーンは、ボリューム９と同様に回転型可変抵抗器によって構成されるため、その図示については省略するが、図３においてボリューム９側の表示手段４０を取り除き、セレクター８の右側に表示手段４０付きのボリューム９と同一構造からなるトーンを設ければよい。
【００４０】
［表示態様３］
セレクター８、ボリューム９およびトーンの全てに表示手段４０を設け、そのつまみの周囲をピックアップ６，７の選択状態に応じて異なった表示色、例えば緑色と青色で表示する。この場合、表示手段４０による表示例としては、以下に示す表示例１〜４が考えられる。
【００４１】
「表示例１」
（１）フロントピックアップ６が選択された場合；セレクター８、ボリューム９およびトーンの表示手段４０の全ての緑色ＬＥＤ４３を点灯する。
（２）リアピックアップ７が選択された場合；セレクター８、ボリューム９およびトーンの表示手段４０の全ての青色ＬＥＤ４４を点灯する。
（３）フロントピックアップ６とリアピックアップ７が選択された場合；セレクター８、ボリューム９およびトーンの表示手段４０の全ての緑色ＬＥＤ４３と青色ＬＥＤ４４を点灯する。
【００４２】
「表示例２」
（１）フロントピックアップ６が選択された場合；ボリューム９の表示手段４０の緑色ＬＥＤ４３のみを点灯する（セレクター８およびトーンの表示手段のＬＥＤは全て消灯）。
（２）リアピックアップ７が選択された場合；トーンの表示手段４０の青色ＬＥＤ４４のみを点灯する（セレクター８およびボリューム９の表示手段のＬＥＤは全て消灯）。
（３）フロントピックアップ６とリアピックアップ７が選択された場合；セレクター８の表示手段４０の緑色ＬＥＤ４３と青色ＬＥＤ４４を点灯する（ボリューム９およびトーンの表示手段のＬＥＤは全て消灯）。
【００４３】
この表示例２によれば、選択されたピックアップの位置（配列）と点灯する操作手段の位置とが対応しているので、表示色だけではなく、点灯位置でもどのピックアップが選択されたかが視認可能である。
【００４４】
このように選択されたピックアップの位置（配列）と点灯する操作手段の位置とを対応させてどのピックアップが選択されたかが視認可能となるようにすれば、必ずしも異なった表示色とする必要はなく同一色（一色）で表示することも可能である。
【００４５】
「表示例３」
（１）フロントピックアップ６が選択された場合；セレクター８、ボリューム９およびトーンの全ての表示手段４０の緑色ＬＥＤ４３を点灯させ、そのうちボリューム９の表示手段の緑色ＬＥＤ４３を他の緑色ＬＥＤより強く点灯させる。すなわち、３つの表示手段４０のうちのネック側の表示手段の緑色ＬＥＤが強く点灯する。
（２）リアピックアップ７が選択された場合；セレクター８、ボリューム９およびトーンの全ての表示手段４０の青色ＬＥＤ４４を点灯させ、そのうちトーンの表示手段の青色ＬＥＤを他の表示手段のＬＥＤよりも強く点灯させる。すなわち、３つの表示手段４０のうちのブリッジ側の表示手段の青色ＬＥＤが強く点灯する。
（３）フロントピックアップ６とリアピックアップ７が選択された場合；セレクター８、ボリューム９およびトーンの全ての表示手段４０の緑色ＬＥＤ４３と青色ＬＥＤ４４を点灯させ、そのうちセレクター８の表示手段の緑色ＬＥＤと青色ＬＥＤを他の表示手段のＬＥＤよりも強く点灯させる。すなわち、３つの表示手段４０のうち中央の表示手段の緑色と青色のＬＥＤが強く点灯する。
【００４６】
この表示例３によれば、選択されたピックアップの位置（配列）と強く点灯させる操作手段の位置とが対応しているので、表示色だけでなく、強点灯位置でもどのピックアップが選択されたかが視認可能である。
【００４７】
このように選択されたピックアップの位置（配列）と強く点灯させる操作手段の位置とを対応させてどのピックアップが選択されたかが視認可能となるようにすれば、必ずしも異なった表示色とする必要はなく同一色（一色）で表示することも可能である。
【００４８】
「表示例４」
（１）フロントピックアップ６が選択された場合；トーン、セレクター８およびボリューム９の全ての表示手段４０の緑色ＬＥＤ４３をこの順番で順次点灯させる。すなわち、３つの表示手段において、後側から前側へ緑色の表示色を流れるように移動させる。
（２）リアピックアップ７が選択された場合；ボリューム９、セレクター８およびトーンの全ての表示手段４０の青色ＬＥＤ４４をこの順番で順次点灯させる。すなわち、３つの表示手段において、前側から後側へ青色の表示色を流れるように移動させる。
（３）フロントピックアップ６とリアピックアップ７が選択された場合；先ずボリューム９とトーンの表示手段４０の緑色ＬＥＤ４３と青色ＬＥＤ４４を点灯させ、続いてセレクター８の表示手段４０の緑色ＬＥＤ４３と青色ＬＥＤ４４を点灯させる。すなわち、３つの表示手段４０において、前後から中央に向かって表示色を流れるように移動させる。
【００４９】
この表示例４によれば、選択されたピックアップの位置（配列）と最後に点灯する操作手段の位置（点灯順）とが対応しているので、表示色だけでなく、点灯の順番でもどのピックアップが選択されたかが視認可能である。
【００５０】
このように選択されたピックアップの位置（配列）と最後に点灯する操作手段の位置（点灯順）とを対応させてどのピックアップが選択されたかが視認可能となるようにすれば、必ずしも異なった表示色とする必要はなく同一色（一色）で表示することも可能である。
【００５１】
また、この他の表示態様としてはＬＥＤ４３，４４を点滅表示させるようにしてもよい。その場合の表示態様は、上記の表示態様１〜３中の「点灯」を「点滅」と読み換えればよい。また、点灯後、所定時間経過後に消灯するようにしてもよい。
【００５２】
特に、上記表示態様３中の表示例４の場合は各ＬＥＤが順次点灯した後、全て消灯させ、再度順次点灯させるといったように、流れるような表示を繰り返すようにしてもよいし、また順次点灯した後、最後に点灯したＬＥＤのみを点灯させ続け、他のＬＥＤを消灯させるようにしてもよい。このようにすることで、ピックアップの選択操作後しばらく経ってから元のピックアップが選択されているかが視認可能となる。
【００５３】
図７は本発明の他の実施の形態を示すフロントピックアップの断面図である。
この実施の形態は、フロントピックアップ６とリアピックアップ７とにそれぞれ発光色が異なる表示手段７０を設け、これらのピックアップ６，７を異なった表示色で直接表示するようにしたものである。なお、リアピックアップ７についてはフロントピックアップ６と同一構造であるため図示を省略している。
【００５４】
フロントピックアップ６に設けられる表示手段７０は、導光体７１と、プリント基板７２に実装された複数個からなる、例えば発光色が緑色のＬＥＤ４３とで構成されている。導光体７１は、フロントピックアップ６を収納する細長い有底箱型の本体７１Ａと、この本体７１Ａの開口端縁に一体に設けられた鍔状の表示部７１Ｂとで構成され、本体７１Ａの開口端縁の内周面には斜面からなる反射面７３が形成されている。このような導光体７１は、前記導光体３４と大きさ、形状が異なるだけで、その他の構造、機能については全く同様である。
【００５５】
リアピックアップ７に設けられる表示手段７０は、発光色が例えば青色のＬＥＤ４４が用いられる点で、リアピックアップ７に設けられる表示手段７０と異なっている。
【００５６】
このような実施の形態においては、フロントピックアップ６が選択されているときに表示手段７０の緑色ＬＥＤ４３を点灯させることにより、選択使用されているフロントピックアップ６を直接表示する。したがって、表示色を視認することでフロントピックアップ６が選択されていることを容易かつ確実に確認することができる。
【００５７】
また、導光体７１の表示部７１Ｂはフロントピックアップ６の全周を取り囲み広い表示領域を占めているので、照明が暗い野外やステージでの演奏時においても、選択されているピックアップがどれであるかを容易に確認することができる。
【００５８】
また、フロントピックアップ６とリアピックアップ７の全周をそれぞれ照明するので、演奏時における楽器の意匠性を高めることができる。
【００５９】
図８は本発明のさらに他の実施の形態を示すフロントピックアップの平面図、図９は図８のＩＸ−ＩＸ線断面図である。
この実施の形態は、フロントピックアップ６のケース８０内に表示手段９０を組込み、この表示手段９０によってフロントピックアップ６が選択されていることを表示するようにしたものである。
【００６０】
ケース８０の上面で第１弦側端部には透光性を有するプレート８１によって覆われた開口部が形成されており、この開口部の内側に前記表示手段９０が組み込まれている。
【００６１】
前記表示手段９０は、プリント基板９２に実装された例えば発光色が緑色のＬＥＤ４３で構成されている。
【００６２】
リアピックアップ７については図示を省略したが、リアピックアップ７にも同様な表示手段９０が組み込まれる。ただし、リアピックアップ７側の表示手段は、フロントピックアップ６側の表示手段９０とは発光色が異なるＬＥＤ、例えば青色ＬＥＤ４４が用いられる点で異なっている。
【００６３】
このような実施の形態においても、フロントピックアップ６の使用時に緑色ＬＥＤ４３の点灯によってプレート８１を緑色に照明するようにしたので、プレート８１が緑色に表示されていることを視認することにより、フロントピックアップ６が選択されていることを確認することができる。なお、リアピックアップ７についても同様である。このように各ピックアップにそれぞれ表示手段を設け、どのピックアップが選択されたかを視認可能となるようにすれば、必ずしも異なった表示色とする必要はなく同一色（一色）で表示することも可能である。
【００６４】
ここで、上記した実施の形態はいずれもフロントとリアの２種類のピックアップ６，７を備えたエレキギターに適用した例を示したが、フロントピックアップ、センターピックアップおよびリアピックアップの３種類のピックアップを備えたエレキギターにも適用することが可能である。その場合、各ピックアップに発光色が異なるＬＥＤを備えた表示手段をそれぞれ設けるか、または発光色が異なる２種類のＬＥＤを備えた表示手段をセレクター、ボリューム、トーン等の操作手段に設ければよい。なお、ＬＥＤとしては発光色が緑色と青色のものに限らず、赤色、黄色などの他の発光色のＬＥＤであってもよい。
【００６５】
また、図３においては導光体３４の表示部３４Ｂによってつまみ３２の全周を表示し、図７においては導光体７１の表示部７１Ｂによってフロントピックアップ６の全周を表示するようにしたが、一部のみを表示するようにしたり、操作子自体をＬＥＤで発光させたり、あるいは操作子全体にリング状の導光体を設けるようにしてもよい。
【００６６】
さらに、本発明はいずれの実施の形態においても表示手段４０，７０，９０の光源としてＬＥＤを用いた例について説明したが、これに限らずカラー液晶パネルを用い、その表示色をピックアップ６，７の選択に応じて切り替えるようにしてもよい。ＬＥＤの場合は発光色が異なる２種類のＬＥＤを用いる必要があるが、カラー液晶パネルを用いる場合は１つのパネルで各種の色を切り替え表示できる利点がある。
【産業上の利用可能性】
【００６７】
本発明は、エレキギター以外の電気弦楽器、例えばエレキベースギターにも適用可能である。
【図面の簡単な説明】
【００６８】
【図１】本発明をエレキギターに適用した一実施の形態を示す正面図である。
【図２】セレクターとボリュームの平面図である。
【図３】図２のIII −III 線断面図である。
【図４】ＬＥＤが搭載されたプリント基板の平面図である。
【図５】セレクターとＬＥＤの電気回路図である。
【図６】（ａ）〜（ｃ）はセレクターの切り替えによるＬＥＤの点灯状態をそれぞれ示す図である。
【図７】本発明の他の実施の形態を示すフロントピックアップの断面図である。
【図８】本発明のさらに他の実施の形態を示すフロントピックアップの平面図である。
【図９】図８のＩＸ−ＩＸ線断面図である。
【符号の説明】
【００６９】
１…エレキギター、２…ボディ本体、３…ネック本体、４…弦、５…ブリッジ、６…フロントピックアップ、７…リアピックアップ、８…セレクター、９…ボリューム、３４…取付部材（導光体）、３４Ｂ…表示部、４０…表示手段、４２…プリント基板、４３，４４…ＬＥＤ、７０…表示手段、７１…導光体、７１Ｂ…表示部、９０…表示手段。
【図１】
2006201374.tif 000003
【図２】
2006201374.tif 000004
【図３】
2006201374.tif 000005
【図４】
2006201374.tif 000006
【図５】
2006201374.tif 000007
【図６】
2006201374.tif 000008
【図７】
2006201374.tif 000009
【図８】
2006201374.tif 000010
【図９】
2006201374.tif 000011